(57)【特許請求の範囲】
【請求項１】
内視鏡検査に使用する複数の周辺装置を収納可能な内視鏡検査装置において、
内視鏡を接続可能にすると共に、当該内視鏡を用いた検査に使用する少なくとも一つの内視鏡検査器具を収納するメインユニットと、
前記メインユニットの一つの面に配設された、内視鏡検査画像記録用カメラを収納可能とするカメラ収納部と、
前記カメラ収納部の周囲に配設されたフィルム保管トレイと、
を具備したことを特徴とする内視鏡検査装置。
【請求項２】
前記カメラ収納部は中空円柱状の凹部形状を呈し、また、前記フィルム保管トレイは当該カメラ収納部の凹部外縁部に配されたリング状の凹部形状を呈することを特徴とする請求項１に記載の内視鏡検査装置。
【請求項３】
内視鏡検査に使用する複数の周辺装置を収納可能な内視鏡検査装置において、
内視鏡を接続可能にすると共に、当該内視鏡を用いた検査に使用する少なくとも一つの内視鏡検査器具を収納するメインユニットと、
前記メインユニットの一側面に配設された、ホワイトバランス調整キャップを収納可能とするキャップ取付部と、
を具備し、
前記キャップ取付部は、前記ホワイトバランス調整キャップを着脱自在に装着可能とする凹部であり、当該凹部に前記ホワイトバランス調整キャップを外力なしでは離脱しないようにする係合部材を備えたことを特徴とする内視鏡検査装置。
【請求項４】
内視鏡検査に使用する複数の周辺装置を収納可能な内視鏡検査装置において、
内視鏡を接続可能にすると共に、当該内視鏡を用いた検査に使用する少なくとも一つの内視鏡検査器具を収納するメインユニットと、
前記メインユニットの一側面に配設された、ホワイトバランス調整キャップを収納可能とするキャップ取付部と、
を具備し、
前記キャップ取付部は、前記ホワイトバランス調整キャップを着脱自在に装着可能とする凹部であり、前記ホワイトバランス調整キャップが該凹部に装着された際、当該ホワイトバランス調整キャップの露出面は当該メインユニット一側面に対して略平坦面を形成することを特徴とする内視鏡検査装置。
【請求項５】
前記キャップ取付部は、前記内視鏡検査装置において、前記複数の周辺装置を制御するための操作部を操作する操作位置から操作可能な面に設けられていることを特徴とする請求項３または４に記載の内視鏡検査装置。
【発明の詳細な説明】
【０００１】
【産業上の利用分野】
本発明は内視鏡検査に用いる周辺装置をユニット内に収納した内視鏡検査装置に関する。
【０００２】
【従来技術】
近年、内視鏡は医療用分野及び工業用分野で広く用いられるようになった。この内視鏡は照明光を供給する光源装置等と接続した内視鏡装置或いは内視鏡検査装置として使用される。また、この内視鏡検査装置は観察窓に体液などが付着した場合には送気及び送水して除去できるように送気及び送水手段を有し、不要な体液なども吸引除去できるように吸引手段も備えている。
【０００３】
また、内視鏡としては光学像を伝送するイメージガイドを用いた光学式内視鏡の他に、対物光学系の焦点面に固体撮像素子を配置した電子内視鏡を用いて内視鏡検査装置として使用されるようにもなった。電子内視鏡を用いた場合には、固体撮像素子に対する信号処理を行うビデオプロセッサと、信号処理された映像信号を表示するモニタも用いられる。
【０００４】
また、光学式内視鏡に対しても、その接眼部に撮像手段を内蔵したＴＶカメラを装着することにより電子内視鏡とほぼ同様の機能を実現して使用する場合もある。
【０００５】
このように光学式内視鏡或いは電子内視鏡のいずれでも使用できるように、光源装置、ビデオプロセッサなどの内視鏡検査に使用される複数の周辺装置をユニット本体の内部に収納することにより、いずれの内視鏡を使用した場合にも内視鏡検査ができる構成にした内視鏡装置が、例えば特開平６ー２２８９９号公報の従来例に開示されている。
【０００６】
上記従来例等では内視鏡検査に使用されるホワイトバランス調整用のキャップ等の内視鏡検査器具は光源装置或いはビデオプロセッサの近辺のスペースに備え付けられる場合が多い。また、吸引用チューブなどのチューブ類は光源装置の付近のスペースに備え付けられる。また、消耗品となる検査用グローブ（手袋）の収納ボックスは通常ユニット本体の上部の作業テーブルに載置される。
【０００７】
【発明が解決しようとする課題】
しかしながら、これらの内視鏡検査器具はユニット本体の側面に突出するように設けられたり、グローブの収納ボックスのようにユニット本体の上面に載置されたりするため、術者あるいはナースなどの補助作業者が作業する場合に引っかかる等して作業しにくいとか、雑然としていて定まった位置に無いため、円滑な作業を行いにくい等の欠点があった。
【０００８】
本発明は上述した点に鑑みてなされたもので、内視鏡検査器具等をそれぞれ所定の位置に収納でき、作業性を向上できる環境状態で内視鏡検査を行うことのできる内視鏡検査装置を提供することを目的とする。
【０００９】
【課題を解決するための手段】
本発明の第１の内視鏡検査装置は、内視鏡検査に使用する複数の周辺装置を収納可能な内視鏡検査装置において、内視鏡を接続可能にすると共に、当該内視鏡を用いた検査に使用する少なくとも一つの内視鏡検査器具を収納するメインユニットと、前記メインユニットの一つの面に配設された、内視鏡検査画像記録用カメラを収納可能とするカメラ収納部と、前記カメラ収納部の周囲に配設されたフィルム保管トレイと、を具備したことを特徴とする。
また、本発明の第２の内視鏡検査装置は、前記第１の内視鏡検査装置において、前記カメラ収納部は中空円柱状の凹部形状を呈し、また、前記フィルム保管トレイは当該カメラ収納部の凹部外縁部に配されたリング状の凹部形状を呈することを特徴とする。
また、本発明の第３の内視鏡検査装置は、内視鏡検査に使用する複数の周辺装置を収納可能な内視鏡検査装置において、内視鏡を接続可能にすると共に、当該内視鏡を用いた検査に使用する少なくとも一つの内視鏡検査器具を収納するメインユニットと、前記メインユニットの一側面に配設された、ホワイトバランス調整キャップを収納可能とするキャップ取付部と、を具備し、前記キャップ取付部は、前記ホワイトバランス調整キャップを着脱自在に装着可能とする凹部であり、当該凹部に前記ホワイトバランス調整キャップを外力なしでは離脱しないようにする係合部材を備えたことを特徴とする。
また、本発明の第４の内視鏡検査装置は、内視鏡検査に使用する複数の周辺装置を収納可能な内視鏡検査装置において、内視鏡を接続可能にすると共に、当該内視鏡を用いた検査に使用する少なくとも一つの内視鏡検査器具を収納するメインユニットと、前記メインユニットの一側面に配設された、ホワイトバランス調整キャップを収納可能とするキャップ取付部と、を具備し、前記キャップ取付部は、前記ホワイトバランス調整キャップを着脱自在に装着可能とする凹部であり、前記ホワイトバランス調整キャップが該凹部に装着された際、当該ホワイトバランス調整キャップの露出面は当該メインユニット一側面に対して略平坦面を形成することを特徴とする。
また、本発明の第５の内視鏡検査装置は、前記第３または第４の内視鏡検査装置において、前記キャップ取付部は、前記内視鏡検査装置において、前記複数の周辺装置を制御するための操作部を操作する操作位置から操作可能な面に設けられていることを特徴とする。
【００１０】
【実施例】
以下、図面を参照して本発明の実施例を具体的に説明する。図１ないし図１６は本発明の１実施例に係り、図１は本発明の１実施例の内視鏡検査装置の正面側の外観図、図２は図１の裏面側の外観図、図３は操作部の構造を示す断面図、図４はフィルムトレイ、カメラ収納部の断面図、図５はフィルムトレイおよびカメラ収納部の構造を示し、図５（ａ）は断面図、図５（ｂ）は背面図、図６はキャップ取付部の構造を示し、図６（ａ）は平面図、図６（ｂ）は図６（ａ）のＣ−Ｃ線断面図、図７はチューブを固定するチューブクリップ、クリップ固定台等を示し、図７（ａ）〜（ｃ）は１本のチューブを固定するチューブクリップの平面図、正面図及び側面図、図７（ｄ）は斜視図、図７（ｅ）〜（ｇ）は２本のチューブを固定するチューブクリップの正面図、平面図及び側面図、図７（ｈ）、（ｉ）はクリップ固定台の側面図及び正面図、図７（ｊ）はクリップ固定台にチューブクリップを装着した状態を示す平面図、図８は外装パネルを示す斜視図、図９は図８のＤ−Ｄ線断面図、図１０はモールの取付部を示し、図１０（ａ）は上モールの取付構造の断面図、図１０（ｂ）は下モールの取付構造の断面図、図１１はビデオプロセッサ収納部の構造の断面図、図１２は処置具トレイを収納した状態の処置具トレイ収納用凹部の構造を示す断面図、図１３は処置具トレイを示し、図１３（ａ）〜（ｃ）は処置具トレイの正面図、平面図及び側面図、図１４はナースユニットにおけるグローブケース付近を示す斜視図、図１５はグローブケースの構造を示す斜視図、図１６はグローブケースの押さえ皿を示す断面図である。
【００１１】
図１に示すように本発明の１実施例の内視鏡検査装置１は、内視鏡２と、この内視鏡２と接続されて、或いは内視鏡２の検査時などに使用される図示しない光源装置及び電気メス装置、ビデオプロセッサ８（図１１参照）等の複数の周辺装置を内蔵したユニット（或いは装置本体とも呼ぶ）３と、図示しない表示装置及び患者用ベッドとから構成される。
【００１２】
内視鏡２は体腔内に挿入される細長の挿入部４と、この挿入部４の後端に形成され、湾曲等の操作を行う操作部５と、この操作部５から延出されたユニバーサルコード６とを有する。このユニバーサルコード６の端部のライトガイドコネクタはユニット３内の光源装置に接続されると共に、ライトガイドコネクタから延出された図示しない信号コネクタは図１１に示すビデオプロセッサ８に接続される（コネクタ８６ａの他端に設けた）コネクタ受け８６ｂに着脱自在で接続されるようにしている。
【００１３】
ユニット３は、主にドクタ（或いは術者）が観察、或いは処置等する周辺装置を収納したメインユニット１１と、主にナース（或いは補助作業者）が操作或いは作業を行う検査器具、消耗品などを収納したナースユニット１２とを一体化して構成されている。
【００１４】
メインユニット１１内には、内視鏡検査で使用する周辺装置（観察、記録、手術等の為の装置）が内蔵されている。図２はメインユニット１１とナースユニット１２との分割ラインＬを点線で示している。
【００１５】
また、ナースユニット１２には手術用グローブケース１３、引き出し１４、ゴミ箱１５、吸引器及び吸引ボトル等が内蔵されている。メインユニット１１とナースユニット１２はボルト等で連結され、検査室内に設置されている。また各ユニット１１、１２の上面の外装部は作業エリアとなっていて、図１に示すようにドクタはＡ、ナースはＢの位置に立ち、検査及び作業するのに適した装置構成としている。
【００１６】
作業エリア内での作業をやりやすくする為に、作業テーブル１６が一体で設けられている。作業テーブル１６は、塩化ビニル等の樹脂で真空成形により形成されたもので、メインユニット１１とナースユニット１２の両方の上面にまたがる様に設置されている。また、一体で形成されている為、作業時に水等をこぼしても拭きやすく、清掃しやすい構造となっている。また、作業テーブル１６のつなぎ目がないように設けている為、内蔵された周辺装置とか機器への水のかかり等も防げ、防滴面でも有利な構造となっている。
【００１７】
メインユニット１１の上部には内蔵された周辺装置或いは機器をコントロールする操作を行う操作部１７が設けられている。この操作部１７の詳細な構造を図３（操作部断面図）に示す。
【００１８】
この操作部１７は、カラー液晶ディスプレイ２１と、タッチパネル２２とを有し、カラー液晶ディスプレイ２１に描き出されたスイッチの絵の上に設けたタッチパネル２２から押して操作する構成となっている。カラー液晶ディスプレイ２１とタッチパネル２２は、ブラケット２３の内側にビス及び接着等で固定されている。
【００１９】
このブラケット２３はメインユニット１１の上面に設けたモニタ支持台２４の斜面部分に、バネ２５ａを介在したビス２５ｂにより支持固定され、操作部１７の操作面を傾斜させてドクタが操作し易いようにしている。
【００２０】
操作部１７の外装パネル２６はビス２７により固定されている。このビス２７をとめる時、外装パネル２６のとめ穴２６ａとブラケット２３のとめ位置とを、バネ２５ａの作用により位置調整可能な構造になっている。また操作部１７の正面側には固定用ビス２７等を隠す為に枠形状のパネルカバー２８が設けられている。このパネルカバー２８はヒンジ部２９を中心に矢印２９ａのごとく回転し開く構造となっている。
【００２１】
そして、タッチパネル２２と外装パネル２６の間２９ｂに溜まった汚物等をパネルカバー２８を開いて、拭き取りにより簡単に除去しやすい構造となっている。
【００２２】
図１及び図２に示すメインユニット１１の上面には、検査記録用フィルムを保管するフィルム保管トレイ（フィルムトレイと略記）３０が設けてあり、このフィルムトレイ３０の中央部にカメラ収納部３１を形成している。図４に示すように内視鏡検査画像記録用カメラ３２はカメラ用アダプタ３３を介して作業テーブル１６の下のメインユニット１１内部に収納されている画像記録装置３４に接続されるようになっている。
【００２３】
図５にも示すようにカメラ収納部３１は円柱状の凹部形状であり、その外側にリング形状で浅い凹部を形成して未撮影のフィルムを一時的に保管する為のフィルムトレイ３０が形成され、フィルムトレイ３０及びカメラ収納部３１の外装部材３５は一体で形成されている。
【００２４】
また、カメラ収納部３１におけるカメラ用アダプタ３３が取り付けられる開口部分の周囲には内視鏡検査画像記録用カメラ３２への水のかかりを介して内蔵された周辺装置或いは機器を保護する（防滴用或いは水密用或いは防水用部材としての）パッキン或いはＯリング３６が設けられている。また、フィルムトレイ３０と作業テーブル１６の間から浸入する水からメインユニット１１内部を保護する為に作業テーブル１６には突起３７がリング状に設けられている。
【００２５】
このような構造にして、作業テーブル１６上の凹部内で、内視鏡検査画像記録用カメラ３２及びカメラ用アダプタ３３を画像記録装置３４に対して着脱自在に取り付けることができる構造にすると共に、未撮影等のフィルムを一時的に保管することができるように取り付けられるカメラ３２の周辺部にフィルムトレイ３０が設置されており、写真撮影の作業及びフィルムの装填作業等をカメラ収納部３１の付近で行うことが行い易い構造にしている。
【００２６】
また、図１に示すようにメインユニット１１の側面の外装部には、内視鏡画像のホワイトバランス調整を行うためのホワイトバランス調整治具としてのホワイトバランス調整キャップ３９が嵌挿により着脱自在に設置できるようにしている。このホワイトバランス調整キャップ３９はキャップ内面が白色であり、電子内視鏡の先端に取り付けて撮像し、表示装置に白色で表示されるように調整するのに使用される。このホワイトバランス調整キャップ３９のキャップ取付部４０の詳細を図６に示す。
【００２７】
（ユニット３の）側面の外装パネル４１に接着固定され、凹部４２ａを形成する円筒形の収納部材４２の内側にホワイトバランス調整キャップ３９を嵌挿等により着脱自在で収納できる構成となっている。この凹部４２ａはホワイトバランス調整キャップ３９の円筒形状に応じて、このホワイトバランス調整キャップ３９を収納できる凹部形状にしている。
【００２８】
収納部材４２の外周の例えば３箇所に凹部４２ａに通じる切り欠きが形成され、各バネ固定部材４３にビス４４によって板バネ４５の一方の端部側が固定され、各板バネ４５の他端側はＬ字形状に折った状態で凹部４２ａ内に突出し、この凹部４２ａに挿入されたホワイトバランス調整キャップ３９のフランジ部に係合して着脱自在で取付けできるようにしている。また、ホワイトバランス調整キャップ３９を凹部４２ａの外側に引っ張る操作を行うことにより、係合を外すことができ、簡単に取り外すこともできるようにしている。
【００２９】
このようにホワイトバランス調整キャップ３９を凹部４２ａ内に着脱自在にして、このホワイトバランス調整キャップ３９が汚れた時等、簡単に取り外して洗浄できる。ホワイトバランス調整キャップ３９が外装パネル４１の外装面より内側にその殆どを収納できるようにしてドクタが作業する場合に引っかかることなく行うことができるようになっており、また収納した場合にも凹部４２ａ付近は略平坦な面となり外観上のデザインもすっきりでき、さらにホワイトバランス調整キャップ３９の端部が外装面より僅かに突出していることで、この端部を掴んで着脱の操作も容易にできる。
【００３０】
なお、図６（ｂ）では凹部４２ａ内に収納されたホワイトバランス調整キャップ３９の端部が凹部４２ａ周囲の外装面より僅かに突出して、着脱する際に把持し易いようにしているが、凹部４２ａの周囲の外装面から突出しないように凹部４２ａ内に収納しても良い。この場合には例えば指で掴むことができるように凹部４２ａの周囲の２箇所あるいは複数箇所に切り欠き凹部を形成し、この切り欠き凹部に指を入れて凹部４２ａ内に収納されたホワイトバランス調整キャップ３９を引き出す操作を行うことができるようにすれば良い。
【００３１】
図１に示すように装置本体３には内視鏡２へ送水及び吸引を行うためのチューブ４６の引き回し用に、（凹部或いは）溝４７が複数箇所に設けられている。また送水タンク４８を収納する為の凹部４９が設けられている。この送水タンク４８も装置本体３の凹部４９に収納され、着脱自在である。
【００３２】
送水用、吸引用のチューブ４６を溝４７内で固定する為に、図７に示すようにチューブ取付具としてのチューブクリップ５１、チューブクリップ５２、クリップ固定台５３が設けられている。
【００３３】
図７（ａ）〜（ｃ）及び図７（ｅ）〜（ｇ）にそれぞれ示すようにチューブクリップ５１，５２はそれぞれ１つ或いは２つの切り欠きにより形成したチューブ保持部５４と、クリップ固定台５３に固定するための固定用凸部５５とにより構成されている。つまり、１本のチューブの場合には１つのチューブ保持部５４を有するチューブクリップ５１を、２本のチューブの場合には２つのチューブ保持部５４を有するチューブクリップ５２を用いることができるように２種類が用意されている。
【００３４】
図７（ｄ）に示すように固定用凸部５５にはピン固定溝５６が設けられている。また、チューブクリップ５１には横方向にチューブを固定できるようにチューブ保持部５４が設けてある（チューブクリップ５２も同様な構造にしても良い）。
【００３５】
図７（ｈ）及び（ｉ）に示すようにクリップ固定台５３は溝部５７とピン５８が設けられており、図７（ｊ）に示すようにこのクリップ固定台５３は外装パネル４１に接着等により固定されている。
【００３６】
チューブクリップ５１或いは５２の取り付けは、外装パネル４１に固定されているクリップ固定台５３に、溝部５７と凸部５５を嵌合するように嵌め込み、クリップ固定台５３のピン５８をピン溝５６に嵌め込むことによって固定状態になる。
【００３７】
チューブクリップ５１、５２及び固定台５３はＡＢＳ（アクリルトリル−ブタジエン−スチレン共重合樹脂の略）、ＰＯＭ等の樹脂で製作し、ピン溝５６の幅をピン５８の径より少し小さくして弾性力でピン５８を溝５６に押し込み固定する。チューブクリップ５１，５２が汚れても、簡単に装置本体３から取り外して洗浄、消毒することができる。
【００３８】
次に装置本体３の側面の外装部としての外装パネル４１の取り付けについて説明する。
装置本体３の外装パネル４１の素材は、樹脂（塩化ビニル等）で真空成形により製作されている。分割された外装側面パネル４１ａの内の１枚を図８に示す。外装側面パネル４１ａの下側には凹部が形成され、この凹部の一部を切り欠いた切り欠き６２によりＬ型係合片６３を設け、図９に示すようにこのＬ型係合片６３を装置本体３の下端に突出するように取り付けられたＬ型突起６４に引掛け、かつ図８に示すように外装パネル４１ａの上端に設けた取付部６５の孔にビス６６を通して装置本体３に固定することができる。
【００３９】
また電磁シールド対策として、外装側面パネル４１ａの裏面に塗布した導電層と装置本体３間を導通させる為に、外装側面パネル４１ａの裏面に一端が固定されたアース線６７の他端にファストン端子６８を設け、装置本体３の対応する端子６９に矢印で示すように押し込んで電気的に接続する構造にしている。
【００４０】
なお、図９に示すように装置本体３の底部にはキャスタ７０が設けてあり、移動し易い構造にしている。
【００４１】
外装側面パネル４１ａの下側を引掛けて装置本体３に取り付ける構造としたことで形状の大きい外装側面パネル４１ａであっても、１人で容易に取付け及び取外しの作業ができる。
またアース線６７の接続をファストン端子接続としたことで、外装側面パネル４１ａの取付け、取外し時にアース線６７の接続、取外しが容易にできる。
【００４２】
また、上側の取付部６５のビス６６を外から見えなくする為に（デザイン上）、図１等に示すように装置本体３の側面の上部側には上モール７１を設けている。この上モール７１の取付構造を図１０（ａ）に示す。上モール７１は上側突起部７２が外装側面パネル４１ａの穴７４に嵌合し、上モール７１の裏面（内側の面）にビス７５により取り付けられたバネ７６が外装側面パネル４１ａの突起７７に引掛り、固定される構造となっている。
【００４３】
また、図１０（ｂ）に示すように外装側面パネル４１ａの下側には、下モール８１がビス８２によりワッシャ８３を介して装置本体３に固定されるようにしている（図１及び図２では省略）。この下モール８１は図示のごとく上下動可能で固定できる構造（上下方向に調整して固定できる構造）となっており、床面から浸入する水等が装置本体３の下に入って、故障等の原因にならない様に、チューブ８４を押し潰して防水する構造にしている。
【００４４】
次にメインユニット１１のビデオプロセッサ収納部８５の内側に内蔵されているビデオプロセッサ（以下ＶＰと略す）８と、内視鏡２を接続するケーブル８６について説明する。
【００４５】
図１１の断面図に示すごとく、外装パネル４１に形成した凹部にはポケット部８７を設けた扉８８が回転自在に取り付けられ、この扉８８に対向する部分の外装パネル４１内側にＶＰ８がそのコネクタ受け８ａが露出するように内蔵されている。
【００４６】
このコネクタ受け８ａにはケーブル８６の一端に設けたコネクタ８６ａが着脱自在で接続され、このケーブル８６の他端には例えばコネクタ受け８ａと同じ構造のコネクタ受け８６ｂが設けてあり、このコネクタ受け８６ｂに内視鏡２の信号コネクタを着脱自在で接続することができる。
【００４７】
通常は図１１のように外装パネル４１に設けた扉８８の内側に隠された構造でケーブル８６及びコネクタ受け８６ｂは収納されている。そして、内視鏡２に接続する時のみ、ポケット部８７から引き出し、接続することができる。
【００４８】
このような構造にして、ＶＰ８のコネクタ受け８ａ及びケーブル８６が外観部に直接露出していない為、汚れにくくできるし、外観上もすっきりして見える等の利点がある。
【００４９】
次にナースユニット１２について説明する。ナースユニット１２の上面の外装部を形成する作業テーブル１６には、図１２に示す処置具保管用及び処置具運搬用の機能を備えた処置具トレイ９０を着脱自在で収納する処置具トレイ収納部を構成する凹部９１が設けてある。この処置具トレイ９０の部品図を図１３に示す。処置具トレイ９０はトレイ本体９１と取手９２から構成されている。
【００５０】
図１２は処置具トレイ９０を凹部９１に収納した時の断面図を示す。処置具トレイ９０は凹部９１に着脱自在である。処置具トレイ９０内には減菌袋９３に入った処置具９４が図のごとく収納できる構造にしている。ナースユニット１２に配置した為、ナースの手の届く範囲にあり、処置具の取り出しが早く行える。また、袋９３ごと収納できる為、常に処置具９４を清潔な状態で保管できる。
【００５１】
処置具トレイ９０内の処置具９４を使いきった後は、処置具保管室まで処置具トレイ９０を持って行き、補充して持って帰って来る運搬容器としてもこの処置具トレイ９０を使用できる。
【００５２】
次に手術用グローブ（或いは検査用グローブ）を収納するグローブケース１３の内部について説明する。
図１４に示す様にナースユニット１２にはグローブケース１３の箱形の形状に対応した形状の凹部が形成され、この凹部にグローブケース１３を収納でき、かつ収納されたグローブケース１３はスライドレール９５にガイドされて前に引き出せる構造となっている。
【００５３】
図１５に示す様に押さえ皿９６を矢印のごとく、後ろに下げてグローブボックス９７をグローブケース１３内に入れ固定することができる。グローブボックス９７に収納されたグローブは、このグローブボックス９７の開口９７ａ及びこの開口９７ａに対向する位置に設けたグローブケース１３の開口９８より引き出して使用することができる。グローブケース１３にはグローブボックス９７の収納部を複数設けてあるので、グローブボックス９７の替りにティッシュボックスを入れても、開口９８からティッシュを引き出して使用することができる。
【００５４】
押さえ皿９６の詳細図を図１６に示す。押さえ皿９６は摺動軸１０１にネジ１０２で固定されている。押さえ皿９６はバネ１０４によってａ方向に常に付勢されている。グローブボックス９７等を入れる時、ｂ方向に押さえ皿９６を押し、グローブボックス９７を挿入する。
【００５５】
挿入されたグローブボックス９７はバネ１０４の弾性力で押さえ皿９６とグローブケース１３の内側に挟まれ、確実に固定される。摺動軸１０１はグローブケース１３に設けた軸受け１０５によって回転自在に支持されている。
以上の構造によりグローブボックス９７のサイズが変っても対応できる収納固定できる構造となっている。
【００５６】
このような構成の１実施例の内視鏡検査装置１ではユニット３の側面及び上面の外装部に内視鏡検査器具及び消耗品の殆ど（従って、大部分の場合を含む）を嵌挿等により着脱自在で収納できる凹部を形成し、凹部に収納することにより略平坦な面となる外装部にしていることが特徴となっている。
【００５７】
例えば、ホワイトバラス調整キャップ３９は上述したように側面の外装部としての外装パネル４１の所定の位置に形成した凹部４２ａ内に嵌挿により着脱自在で収納するようにしているので、内視鏡検査或いは処置などの際に邪魔になることなく収納でき、必要となる場合に、簡単に着脱して使用できる。
【００５８】
また、フィルムトレイ３０も上面の外装部を形成する作業テーブル１６におけるカメラ収納部３１の周囲に形成した凹部で形成できるようにしているので、フィルムが作業テーブル１６上に散在することなく、かつカメラ収納部３１の付近のフィルムトレイ３０内に収納或いは載置できるのでフィルムの交換等も簡単にできる。
【００５９】
また、処置具トレイ９０も作業テーブル１６におけるナースが立って作業し易い位置に設けた凹部９１に収納できるようにしているので、処置具を術者に渡したり、使用済みの処置具を処置具トレイ９０に戻す等の作業を円滑に行うことができる。
【００６０】
また、検査用グローブなどの消耗品もナースが立って作業し易い位置に凹部を形成してグローブケース１３を着脱自在で収納する凹部を形成し、グローブケース１３に設けた開口からグローブとかティッシュなどを引き出す操作で簡単に使用することができ、作業テーブル１６上に乗せた場合よりは作業性を向上できるし、清潔に保てる。
【００６１】
この他、送水用タンクとか吸引チューブ等も凹部或いは溝４７内に収納しているので、作業性を向上できるし、溝４７内に引っ込んで収納されているので作業している最中等においても（突出している場合のように衣服或いはグローブが引っかかる等を解消できるし、清潔に保持されるべき部分が汚染される可能性もより確実に解消できる、つまり）より清潔に保持することが可能になる。
【００６２】
このように１実施例では内視鏡検査に使用する内視鏡検査器具及び消耗品の大部分をユニットの外装部に形成した凹部に着脱自在に収納しているので、検査或いは処置等を行う場合に（突出していることのため）邪魔になることなく行うことができると共に、各検査器具等は所定の収納場所に整頓されて収納できるので、円滑な処置とか作業を行うことが可能になる。
なお、上述した実施例を部分的等で組み合わせても良い。
【００６３】
［付記］
（１）前記内視鏡検査器具及び消耗品は、ホワイトバランス調整治具、送水用タンク、送水用チューブ、吸引用チューブ、チューブ取付具、処置具運搬，保管用トレイ、検査記録用フィルム保管トレイ、検査用グローブのいずれかである請求項１記載の内視鏡検査装置。
【００６４】
（２）前記チューブ取付具にはチューブを保持する溝が複数設けられている付記１記載の内視鏡検査装置。
【００６５】
（３）前記記録用フィルム保管トレイはユニットのカメラ取付部またはその近傍に設けた付記１記載の内視鏡検査装置。
【００６６】
（４）前記記録用フィルム保管トレイは、カメラ取付用開口の周囲には水密用部材を介在させた付記１記載の内視鏡検査装置。
【００６７】
（５）前記内視鏡検査器具及び消耗品は、前記凹部周囲の外装部の面より殆ど突出しないように前記凹部内に収納される付記１記載の内視鏡検査装置。
【００６８】
（６）前記凹部は収納される内視鏡検査器具及び消耗品の形状に応じた凹部形状である付記１記載の内視鏡検査装置。
【００６９】
【発明の効果】
以上説明したように本発明によれば、検査或いは処置等を行う場合に邪魔になることなく行うことができると共に、各検査器具等は所定の収納場所に整頓されて収納できるので、円滑な処置とか作業を行うことが可能になる。
【図面の簡単な説明】
【図１】本発明の第１実施例の内視鏡検査装置の正面側の外観図。
【図２】図１の裏面側の外観図。
【図３】操作部の構造を示す断面図。
【図４】フィルムトレイ、カメラ収納部の断面図。
【図５】フィルムトレイ、カメラ収納部の断面及び背面図。
【図６】キャップ取付部の上面及びＣ−Ｃ線断面図。
【図７】チューブを固定するチューブクリップ、クリップ固定台等を示す図。
【図８】外装パネルを示す斜視図。
【図９】図８のＤ−Ｄ線断面図。
【図１０】モールの取付部の断面図。
【図１１】ビデオプロセッサ収納部付近の構造を示す断面図。
【図１２】処置具トレイ収納部の構造を示す断面図。
【図１３】処置具トレイの部品図。
【図１４】ナースユニットにおけるグローブケース付近を示す斜視図。
【図１５】グローブケースの構造を示す斜視図。
【図１６】押さえ皿を示す断面図。
【符号の説明】
１…内視鏡検査装置
２…内視鏡
３…ユニット（装置本体）
４…挿入部
１１…ドクタユニット
１２…ナースユニット
１３…グローブケース
１４…引き出し１４
１５…ゴミ箱
１６…作業テーブル
１７…操作部
３１…カメラ収納部
３０…フィルムトレイ
３９…ホワイトバランス調整キャップ
４０…キャップ取付部
４１…外装パネル
４６…チューブ
４７…（凹部或いは）溝
４８…送水タンク
７１…上モール
８７…ポケット部
８８…扉
９０…処置具トレイ
９１…凹部
【図１】
0003590107.tif 000002
【図２】
0003590107.tif 000003
【図３】
0003590107.tif 000004
【図４】
0003590107.tif 000005
【図５】
0003590107.tif 000006
【図６】
0003590107.tif 000007
【図７】
0003590107.tif 000008
【図８】
0003590107.tif 000009
【図９】
0003590107.tif 000010
【図１０】
0003590107.tif 000011
【図１１】
0003590107.tif 000012
【図１２】
0003590107.tif 000013
【図１３】
0003590107.tif 000014
【図１４】
0003590107.tif 000015
【図１５】
0003590107.tif 000016
【図１６】
0003590107.tif 000017